【事件の表示】
　特願２０１３−５１１３３５「核酸の配列特異的な精製及び多重分析のための方法及び組成物」拒絶査定不服審判事件〔平成２３年１１月２４日国際公開、ＷＯ２０１１／１４６６２９、平成２５年　７月　８日国内公表、特表２０１３−５２８０４９〕について、次のとおり審決する。
【結　論】
　本件審判の請求は、成り立たない。
【理　由】
第１　手続の経緯
　この出願は、平成２３年（２０１１年）５月１８日（パリ条約による優先権主張外国庁受理２０１０年５月１９日、アメリカ）を国際出願日とする出願であって、以降の手続の経緯は以下のとおりのものである。
　
　平成２７年　５月２５日付け　拒絶理由通知書
　平成２７年１０月１５日　　　意見書・手続補正書
　平成２８年　２月１２日付け　拒絶査定
　平成２８年　５月１２日　　　審判請求書・手続補正書
　平成２９年　１月１２日　　　上申書
　平成２９年　４月２５日付け　当審の拒絶理由通知書
　平成２９年　６月１６日　　　意見書・手続補正書
第２　本願発明の認定
　この出願の請求項１〜１５に係る発明は、平成２９年６月１６日付け手続補正書の特許請求の範囲の請求項１〜１５に記載された事項により特定されるとおりのものと認められ、その請求項１に係る発明（以下、「本願発明」という。）は、次のとおりである。
　
【請求項１】
　サンプルにおける少なくとも１つの標的核酸を検出する方法であって、
Ａ．該少なくとも１つの標的核酸を精製することであって、
　Ａ１．該少なくとも１つの標的核酸を該少なくとも１つの標的核酸に特異的な少なくとも第１の核酸プローブを含むハイブリッドプローブセットとハイブリダイズすることにより、該少なくとも１つの標的核酸の二本鎖核酸ハイブリッドを生成すること、及び、
　Ａ２．該サンプルから該二本鎖核酸ハイブリッドを分離し、少なくとも１つの精製された核酸を生成する、分離すること、
により、該少なくとも１つの標的核酸を精製することであって、
二本鎖核酸ハイブリッドが、該二本鎖核酸ハイブリッドをハイブリッド特異的な分子と接触させることにより該サンプルから分離され、ハイブリッド特異的な分子との結合により、該標的核酸が固相に固定されることを特徴とし、
Ｂ．該少なくとも１つの精製された核酸の少なくとも一部分を増幅し、増幅された核酸を生成し、増幅することと、
Ｃ．該標的核酸を検出することであって、
　Ｃ１．該増幅された核酸を少なくとも４つの核酸検出プローブの検出プローブセットと接触させ、少なくとも１つのハイブリッド複合体を形成させることであって、
該検出プローブセットが、Ａ型呼吸器合胞体ウイルス、Ｂ型呼吸器合胞体ウイルス、Ｂ型アデノウイルス、Ａ型インフルエンザウイルス、Ｂ型インフルエンザウイルス、１型〜３型パラインフルエンザウイルス、ライノウイルスからなる群から選択される病原体から誘導される核酸に特異的な検出プローブを含み、
　　Ｃ１（ａ）．該検出プローブセットの各検出プローブが検出可能な蛍光標識を有し、
　　Ｃ１（ｂ）．該検出プローブセットの少なくとも３つの検出プローブが同じ検出可能な蛍光標識を保有し、
　　Ｃ１（ｃ）．該検出プローブセットの同じ検出可能な蛍光標識を保有する各プローブは異なる融解温度（Ｔｍ）を有し、かつ、該検出プローブセットの同じＴｍを持つ各プローブは異なる蛍光標識を保有し、
　　Ｃ１（ｄ）．該検出プローブセットの各検出プローブが異なる標的核酸配列にハイブリダイズする、
　Ｃ２．該増幅された核酸とハイブリダイズした検出プローブの該検出可能な蛍光標識を検出及び特定すること、並びに、
　Ｃ３．該検出プローブセットの各検出プローブが該増幅された核酸から解離する温度を検出することであって、検出プローブセットの各検出プローブの検出可能な蛍光標識、及び、少なくとも１つのハイブリッド複合体の対応するハイブリッド複合体から解離する温度に基いて、該標的核酸を検出することと、
を含む、方法。
第３　刊行物に記載された事項
　平成２９年４月２５日付け当審の拒絶理由通知で引用した、この出願の優先日前に頒布された下記の刊行物について、以下「引用文献１」、「引用文献２」という。
引用文献１：国際公開第０９／１３５８３２号
引用文献２：J. Virol. Methods、2008、Vol.154、p.76-81
　また、下記の刊行物について、以下「引用文献３」〜「引用文献５」という。
引用文献３：特表２００７−５０８８２４号公報（周知技術を示す文献）
引用文献４：特表２００７−５２３５９４号公報（周知技術を示す文献）
引用文献５：特表２００３−５０２０５９号公報（周知技術を示す文献）
１．引用文献１：国際公開第０９／１３５８３２号
　引用文献１には、以下の記載がある（原文は英語のため、当審による翻訳文で示す）。
　なお、下線は当審が付したものである。
（１）「１．反応において、核酸配列を同時に増幅し検出する方法であって、
（ｉ）少なくとも一つの核酸分子を含む試料を準備する工程、
（ｉｉ）増幅反応を行うための試薬を準備する工程、ここで、試薬は、少なくとも４つのプローブを含み、さらに、
    ａ．各プローブは、核酸配列に特異的であり、
    ｂ．少なくとも２つのプローブは、同じ標識を有し、そして
    ｃ．同じ標識を持つ各プローブの融解温度（Ｔｍ）は、同じ標識を持つ他のプローブの融解温度に対して、加熱によりプローブが標的の核酸配列から解離する際には、２℃より大きい差を有する、
（ｉｉｉ）反応中の核酸配列を増幅する工程、
（ｉｖ）標識されたプローブが核酸配列に結合したかを決定することにより増幅された核酸を検出する工程、及び
（ｖ）所与の標識された各プローブが、それが結合した核酸配列から解離する温度を検出する工程、
を含む方法。」（特許請求の範囲）
（２）「２．プローブの標識が蛍光標識である請求項１に記載の方法。」（特許請求の範囲）
（３）「本発明は、試料中のある種の核酸配列を同定する分野に関する。特に、本発明は、反応において、核酸配列を同時に増幅および検出する分野に関する。本発明は、試料中の核酸配列を検出するための方法、キット及び系に関する。」（第１頁７〜１１行）
（４）「本発明の方法の他の好ましい実施態様では、試薬は、
少なくとも４つのプローブを含み、ここで少なくとも３つのプローブは同じ標識を持つ
（５）「プローブの標識は、好ましくは蛍光標識である。
  ２またはそれ以上の蛍光標識は、それらの最大発光波長が１０ｎｍ以内、好ましくは５ｎｍ以内である場合は、同じ標識と仮定する。最も好ましくは、同じ蛍光標識は、同じ蛍光色素である。
  
同じ蛍光標識を持つプローブは、それらが融解点によって区別できるように、異なった融解温度（Ｔｍ）を有するのが好ましい
（６）「本発明をより明瞭に説明するために、図１を参照する。本発明に従ったプローブセットは、少なくとも３つのプローブを含む。あるプローブセットは、すべてのプローブが共通の標識を共有しているとして見えるが、また、すべてのプローブが共通の融解温度（Ｔｍ）を有しているとして見える。理想的には、プローブセット中のプローブは、同じ標識または異なった融解温度をもつ他のプローブと区別できない標識を持つ。
同一または非常に似ている融解温度を持つプローブセット中のプローブは、異なった標識を持つべきである
（７）「発明者は、
例えば２０のテンプレートを用いた、多重増幅反応を実施できる方法を開発した
共通の標識を共有するすべてのプローブは、僅かに異なった融解温度を持つ
共通の融解温度を共有するすべてのプローブは、異なった標識を持つ
一つのチューブ中で、例えば、２０テンプレートを分析できる手段を初めて提供した
（８）「図１
図１は、本発明の原理を示している。
例えば行１中のプローブを用いて行う反応は、すべて共通の標識を共有する。しかし、プローブの融解温度は異なる。従って、異なる融解温度により、各プローブを同定することができる。例えば、列Ｄ中のプローブは、すべて同じ融解温度を持つが、異なった標識を持つ。従って、異なった標識により各プローブを同定できる
（９）「本明細書で用いられる「核酸配列」なる語は、本発明の文脈において、核酸上の配列を意味する。核酸は、とりわけ、ＲＮＡ、ＤＮＡ、ｃＤＮＡ（相補的ＤＮＡ）、ＬＮＡ（ロックド核酸）、ｍＲＮＡ（メッセンジャーＲＮＡ）、ｍｔＲＮＡ（ミトコンドリアＲＮＡ）、ｒＲＮＡ（リボソームＲＮＡ）、ｔＲＮＡ（トランスファーＲＮＡ）、ｎＲＡＮ（核内ＲＮＡ）、ｓｉＲＮＡ（低分子干渉ＲＮＡ）、ｓｎＲＮＡ（低分子核内ＲＮＡ）、ｓｎｏＲＮＡ（核小体低分子ＲＮＡ）、ｓｃａＲＮＡ（カハール体低分子ＲＮＡ）、マイクロＲＮＡ、ｄｓＲＮＡ（二本鎖ＲＮＡ）、リボザイム、リボスイッチ、
ウィルスＲＮＡ
ウィルスＤＮＡ
（１０）「開始核酸は、同一または異なる、１より大きい所望のターゲット核酸配列を含みうる。従って、本発明の方法は、同一または
異なる核酸分子上の位置する複数のターゲット核酸配列
ウィルス
（１１）「いずれの起源の核酸も、もし、それが所望のターゲット核酸配列を含んでいるかまたは含んでいると考えられれば、
精製した
形態で
（１２）「
」（図１）
２．引用文献２：J. Virol. Methods、2008、Vol.154、p.76-81
　引用文献２には、以下の記載がある（原文は英語のため、当審による翻訳文で示す）。
（１）「GP5+/6+ PCRおよびLuminex XMAP上での多重検出と組み合わせたHybrid Captureサンプル調製法を用いたHPV遺伝子型解析の新しい方法」（タイトル）
（２）「標的特異的サンプル調製は、Hybrid Capture（HC）抗体と結合された磁気ビースを用いて行われた。ＤＮＡ−ＲＮＡハイブリッドは、ＤＮＡ標的とＲＮＡプローブの間で形成され、HC-ビーズ上に捕捉された。磁気ビース上のDNAは溶離されずに共通GP5+/6+ PCRを用いて増幅され、その後、１７のハイリスクHPVタイプ16、18、26、31、33、35、39、45、51、52、56、58、59、66、68、73、82および内部標準用のハイブリダイゼーションプローブを用いてLuminexビーズ上で遺伝子型解析された。」（要約３〜８行）
３．引用文献３：特表２００７−５０８８２４号公報（周知技術を示す文献）
　引用文献３には、以下の記載がある。
　なお、下線は当審が付したものである。
（１）「【請求項１】
多重プライマーに基づく増幅のための方法であって、
前記増幅を、標的富化プライマーの少なくとも第一対及び第二対並びに標的増幅プライマー（前記標的増幅プライマーはＦＳＰ及びＲＳＰを含む。）の少なくとも第一対を含む反応混合物中にて行うことを含み、並びに
  ａ．第一増幅反応［前記第一増幅反応は、
      ｉ）鋳型としての、少なくとも１つの病原因子からの核酸（前記核酸は前記病原因子からの少なくとも１つの標的配列を含む。）；
    ｉｉ）前記核酸にハイブリダイズし、前記少なくとも１つの標的配列を囲う前記標的富化プライマーの第一対；
  ｉｉｉ）前記核酸にハイブリダイズし、前記少なくとも１つの標的配列を囲う前記標的富化プライマーの第二対（前記標的富化プライマーの第二対は少なくとも１つの標的配列に近接して位置し、前記標的富化プライマーの第二対の各々は５’末端に標的増幅プライマーの１つの配列に対応するスーパープライマー結合タグを含む。）；及び
    ｉｖ）第一増幅反応が複数の第一増幅産物を生産するような、第一増幅反応のための増幅試薬と条件（前記第一増幅産物の少なくとも部分はスーパープライマー結合タグの少なくとも１つの相補物を含み、これにより少なくとも１つのスーパープライマー結合部位を形成する。）
を使用する。］、及び
  ｂ．第二増幅反応［前記第二増幅反応は、
      ｉ）鋳型としての、前記少なくとも１つのスーパープライマー結合部位を含む第一増幅産物の前記部分；
    ｉｉ）第一増幅産物の前記部分上の前記スーパープライマー結合部位に結合する、前記標的増幅プライマーの第一対；及び
  ｉｉｉ）第二増幅反応が少なくとも１つの標的配列を含む複数の第二増幅産物を生産するような、第二増幅反応のための増幅試薬と条件
を使用する。］
を含む、前記方法。」（特許請求の範囲）
（２）「【請求項２５】
前記病原因子が、
アデノウイルス、インフルエンザＡ型、インフルエンザＢ型、パラインフルエンザ１型、パラインフルエンザ３型及び呼吸器合胞体ウイルス
ライノウイルス
４．引用文献４：特表２００７−５２３５９４号公報（周知技術を示す文献）
　引用文献４には、以下の記載がある。
　なお、下線は当審が付したものである。
（１）「【請求項３１】
サンプル中のＳＡＲＳ−ＣｏＶおよび非ＳＡＲＳ−ＣｏＶ感染性生物をアッセイする方法であって、前記方法は、
  ａ）  請求項１に記載のチップを提供すること；
  ｂ）  前記チップを、核酸のハイブリダイゼーションに適切な条件下で、ＳＡＲＳ−ＣｏＶおよび非ＳＡＲＳ−ＣｏＶ感染性生物のヌクレオチド配列を含有するかまたは含有する疑いのあるサンプルと接触させること；ならびに
  ｃ）  前記サンプルに存在する場合、前記ＳＡＲＳ−ＣｏＶまたは前記非ＳＡＲＳ−ＣｏＶ感染性生物の前記ヌクレオチド配列と、前記ＳＡＲＳ−ＣｏＶゲノムノヌクレオチド配列に相補的な前記オリゴヌクレオチドプローブまたは前記非ＳＡＲＳ−ＣｏＶ感染性生物ゲノムのヌクレオチド配列に相補的な前記オリゴヌクレオチドプローブとの間に形成されるハイブリッドを評価することを含んでなり、
  これにより、前記ハイブリッドの一方または両方の検出が、前記サンプル中の前記ＳＡＲＳ−ＣｏＶおよび／または前記非ＳＡＲＳ−ＣｏＶ感染性生物の存在を示す、方法。」（特許請求の範囲）
（２）「【請求項４０】
ＳＡＲＳ様症状が、ヒトコロナウイルス２２９Ｅ、ヒトコロナウイルスＯＣ４３、ヒト腸内コロナウイルス、
インフルエンザウイルス、パラインフルエンザウイルス、ＲＳウイルス
ライノウイルス、アデノウイルス
５．引用文献５：特表２００３−５０２０５９号公報（周知技術を示す文献）
　引用文献５には、以下の記載がある。
　なお、下線は当審が付したものである。
（１）「【請求項１】
標的核酸分子を含む可能性のある生物学的試料から遺伝情報を得る方法であり：
  a)(i)試料中の標的核酸分子、又は(ii)該試料中の標的核酸分子にハイブリダイズするプローブ、又は(iii)(i)もしくは(ii)の増幅産物、又は(iv)(i)のゲノム提示であるような核酸分子を提供する段階；並びに
  b)(a)の核酸分子を、5種より多い最小ゲノム派生物を有しかつ標的核酸分子を検出することができる検出配列を含むような検出アンサンブルと、接触又は比較することによる、標的核酸分子を検出する段階を含む、方法。」（特許請求の範囲）
（２）「【請求項１７】
生物学的試料が、気道試料であり、かつ遺伝情報が、ジフテリア菌(Cornybacterium diphtheriae)、結核菌(Mycobacterium tuberculosis)、肺炎マイコプラズマ(Mycoplasma pneumoniae)、トラコーマ病原体(Chlamydia trachomatis)、肺炎クラミジア(Chlamydia pneumoniae)、百日咳菌(Bordetella pertussis)、レジオネラ菌(Legionella spp.)、ノカルジア菌(Nocardia spp.)、肺炎連鎖球菌(Streptococcus pneumoniae)、インフルエンザ菌(Haemophilus influenzae)、オウム病クラミジア菌(Chlamydia psittaci)、緑膿菌(Pseudomonas aeruginosa)、黄色ブドウ球菌(Staphylococcus aureus)、ヒストプラスマ・カプシェラタム(Histoplasma capsulatum)、コクシドイデス・イミティス(Coccidoides immitis)、クリプトコッカス・ネオフォルマンス(Crptococcus neofornans)、ブラストミセス・デルマティティディス(Blastomyces dermatitidis)、ニューモシティス・カリニ(Pneumocystis carinni)、
呼吸器合胞体ウイルス(Respiratory Syncytial Virus)、アデノウイルス(Adenovirus)
インフルエンザウイルス(Influenza virus)、パラインフルエンザウイルス(Parainfluenza virus)、及びライノウイルス(Rhinovirus)
第４　当審の判断
１．引用文献１に記載された発明
　第３　１．（５）〜（８）の記載から、引用文献１に記載された発明においては、同じ蛍光標識を有するプローブは、異なる融解温度を持ち、同じ融解温度を有するプローブは、異なる蛍光標識を持つと認められる。そして、第３　１．（８）の記載から、融解温度および標識を検出することにより各プローブ、つまり、標的核酸を特定すると認められる。
　また、第３　１．（７）、（１０）の記載から、引用文献１に記載された発明においては、複数の異なる標的核酸を同時に増幅、検出していると認められ、その際には、それぞれの核酸に特異的にハイブリダイズするプローブが用いられていることは明らかである。
　そうすると、第３　１．（１）〜（１２）の記載から、引用文献１には、次のとおりの発明が記載されていると認められる。
　「試料中の複数の異なる標的核酸を同時に増幅し検出する方法であって、
精製された標的核酸を準備し、
該標的核酸を同時に増幅し検出することであって、該標的核酸を、少なくとも４つのプローブを含む試薬と接触させ、ここで、該プローブがウイルスに特異的であり、
（ａ）該プローブが蛍光標識を有し、
（ｂ）少なくとも３つのプローブは同じ蛍光標識を持ち、
（ｃ）同じ蛍光標識を持つプローブは、それらが融解点によって区別できるように、異なった融解温度（Ｔｍ）を有し、かつ、同じ融解温度（Ｔｍ）を有するプローブは、異なる蛍光標識を有し、
（ｄ）各プローブは、それぞれ異なる標的核酸にハイブリダイスし、
蛍光標識されたプローブが標的核酸に結合したかを決定することにより増幅された核酸を検出すること、及び
蛍光標識された各プローブがそれが結合した標的核酸から解離する温度、および、該プローブの蛍光標識を検出することにより標的核酸を特定すること
を含む、
試料中の標的核酸を検出する方法。」（以下、「引用発明１」という。）
２．本願発明と引用発明１の対比
　本願発明と引用発明１とを対比する。
　本願の請求項１３には、「増幅と検出とを同時に行う、請求項１〜１２のいずれか一項に記載の方法。」と記載されているから、本願発明は、増幅と検出とを同時に行う場合を包含するものである。したがって、引用発明１の「標的核酸を同時に増幅し検出する方法」は、本願発明において、標的核酸の増幅と検出とを同時に行う場合に相当する。
　また、引用発明１の「精製された標的核酸を準備し」は、本願発明の「Ａ．該少なくとも１つの標的核酸を精製すること」に相当する。
　そうすると、両者は、
「サンプルにおける少なくとも１つの標的核酸を検出する方法であって、
Ａ．該少なくとも１つの標的核酸を精製すること、
Ｂ．該少なくとも１つの精製された核酸の少なくとも一部分を増幅し、増幅された核酸を生成し、増幅することと、
Ｃ．該標的核酸を検出することであって、
　Ｃ１．該増幅された核酸を少なくとも４つの核酸検出プローブの検出プローブセットと接触させ、少なくとも１つのハイブリッド複合体を形成させることであって、
該検出プローブセットが、ウイルスから誘導される核酸に特異的な検出プローブを含み、
　　Ｃ１（ａ）．該検出プローブセットの各検出プローブが検出可能な蛍光標識を有し、
　　Ｃ１（ｂ）．該検出プローブセットの少なくとも３つの検出プローブが同じ検出可能な蛍光標識を保有し、
　　Ｃ１（ｃ）．該検出プローブセットの同じ検出可能な蛍光標識を保有する各プローブは異なる融解温度（Ｔｍ）を有し、かつ、該検出プローブセットの同じＴｍを持つ各プローブは異なる蛍光標識を保有し、
　　Ｃ１（ｄ）．該検出プローブセットの各検出プローブが異なる標的核酸配列にハイブリダイズする、
　Ｃ２．該増幅された核酸とハイブリダイズした検出プローブの該検出可能な蛍光標識を検出及び特定すること、並びに、
　Ｃ３．該検出プローブセットの各検出プローブが該増幅された核酸から解離する温度を検出することであって、検出プローブセットの各検出プローブの検出可能な蛍光標識、及び、少なくとも１つのハイブリッド複合体の対応するハイブリッド複合体から解離する温度に基いて、該標的核酸を検出することと、
を含む、方法。」である点で一致し、以下の点で相違している。
（相違点１）
　本願発明は、工程Ａ．が、「Ａ１．該少なくとも１つの標的核酸を該少なくとも１つの標的核酸に特異的な少なくとも第１の核酸プローブを含むハイブリッドプローブセットとハイブリダイズすることにより、該少なくとも１つの標的核酸の二本鎖核酸ハイブリッドを生成すること、及び、
Ａ２．該サンプルから該二本鎖核酸ハイブリッドを分離し、少なくとも１つの精製された核酸を生成する、分離すること、
により、該少なくとも１つの標的核酸を精製することであって、
二本鎖核酸ハイブリッドが、該二本鎖核酸ハイブリッドをハイブリッド特異的な分子と接触させることにより該サンプルから分離され、ハイブリッド特異的な分子との結合により、該標的核酸が固相に固定されること」を特徴とすると特定されているのに対し、引用発明１は、工程Ａ．については具体的に特定されていない点。
（相違点２）
　本願発明は、検出プローブセットが、Ａ型呼吸器合胞体ウイルス、Ｂ型呼吸器合胞体ウイルス、Ｂ型アデノウイルス、Ａ型インフルエンザウイルス、Ｂ型インフルエンザウイルス１型〜３型パラインフルエンザウイルス、ライノウイルスからなる群から選択される病原菌から誘導される核酸に特異的な検出プローブを含むと特定されているのに対し、引用発明１は、ウイルスから誘導される核酸に特異的な検出用プローブを含むと特定されている点。
３．判断
（１）相違点１について
　引用文献２には、第３　２．（１）、（２）に記載したように、標的DNAとRNAプローブのハイブリッドを形成させ、該ハイブリッドを、磁気ビーズ上に固定したDNA-RNAハイブリッド特異的抗体を用いて分離することにより精製する工程を含む、標的DNAの検出方法が記載されている。 
 　引用文献１、２に記載された発明は、いずれも試料中の標的核酸の検出方法に関するものであるから、引用発明１において、精製された複数の異なる標的核酸を準備する際に、引用文献２に記載された精製方法、すなわち、複数の標的核酸と複数のRNAプローブのセットをハイブリダイズさせて複数の二本鎖ハイブリッドを形成し、該ハイブリッドを、磁気ビーズ、すなわち固相に固定したハイブリッド特異的抗体、すなわちハイブリッド特異的な分子に接触させることにより試料から該ハイブリッドを分離、精製する方法を用いることは、当業者が容易になし得ることである。 
（２）相違点２について
　本願優先日前、増幅やプローブを用いて試料中のウイルスを検出する際に、アデノウイルス、インフルエンザウイルス、パラインフルエンザウイルス、呼吸器合胞体ウイルス、ライノウイルス等を検出対象とすることは、引用文献３〜５に記載されているように周知技術であったから、これらのウイルスの核酸を標的核酸として用いることは、当業者が容易になし得ることである。
　そして、本願発明の効果についても、当業者が予測し得る程度のものである。
　
４．審判請求人の主張について
　審判請求人は、平成２９年６月１６日付け意見書において、「本願発明は、補正により、「検出プローブセットの同じＴｍを持つ各プローブは異なる蛍光標識を保有すること」及び「検出プローブセットの各検出プローブが異なる標的核酸配列にハイブリダイズすること」、そして、「検出プローブセットの各検出プローブの検出可能な蛍光標識、及び、少なくとも１つのハイブリッド複合体の対応するハイブリッド複合体から解離する温度に基いて、該標的核酸を検出すること」を構成要件に含むものです。これらの構成は、引用発明１の構成にはないものです。」と主張している。
　しかしながら、上記１．で述べたとおり、引用文献１には、同じ蛍光標識を有するプローブは、異なる融解温度を持ち、同じ融解温度を有するプローブは、異なる蛍光標識を持つことが記載されているから、「検出プローブセットの同じＴｍを持つ各プローブは異なる蛍光標識を保有すること」が引用発明１の構成にないとする審判請求人の主張は、採用できない。
　また、上記１．で述べたとおり、引用文献１に記載された発明においては、複数の異なる核酸を標的として増幅、検出が行われていると認められ、その際には、それぞれの核酸に特異的にハイブリダイズするプローブが用いられていることは明らかであるから、「検出プローブセットの各検出プローブが異なる標的核酸配列にハイブリダイズすること」が引用発明１の構成にないとする審判請求人の主張も、採用できない。
　また、上記１．で述べたとおり、引用文献１には、融解温度および標識を検出することにより各プローブ、つまり、標的核酸を特定することが記載されているから、「検出プローブセットの各検出プローブの検出可能な蛍光標識、及び、少なくとも１つのハイブリッド複合体の対応するハイブリッド複合体から解離する温度に基いて、該標的核酸を検出すること」が引用発明１の構成にないとする審判請求人の主張も、採用できない。
５．まとめ
　したがって、本願発明は、引用文献１、２に記載された発明および周知技術に基づいて当業者が容易に発明をすることができたものである。
第５　むすび
　以上のとおりであるから、請求項１に係る発明は、引用文献１、２に記載された発明および周知技術に基づいて当業者が容易に発明をすることができたものであるから、特許法第２９条第２項の規定により特許を受けることができない。
　したがって、その他の請求項に係る発明についての判断を示すまでもなく、本願は拒絶をすべきものである。
　よって、結論のとおり審決する。